(57)【要約】【課題】原子核乾板の設置状態を簡易に管理することができる乾板管理システム、乾板管理方法、及び乾板管理プログラムを得る。【解決手段】乾板管理システム１０は、厚み方向に重ねられた複数の原子核乾板を一組の乾板群として取り扱うシステムであって、原子核乾板を識別する乾板識別情報、一組の乾板群における原子核乾板の厚み方向の重なり順を表す重なり順情報、及び一組の乾板群の配置位置を表す配置位置情報を受け付け、乾板識別情報、重なり順情報、及び配置位置情報を対応付けて記憶部に記憶する制御を行う。【選択図】図１
2020153788.tif 000002
【特許請求の範囲】
【請求項１】
厚み方向に重ねられた複数の原子核乾板を一組の乾板群として取り扱う乾板管理システムであって、
前記原子核乾板を識別する乾板識別情報、前記一組の乾板群における前記原子核乾板の前記厚み方向の重なり順を表す重なり順情報、及び前記一組の乾板群の配置位置を表す配置位置情報を受け付ける受付部と、
前記乾板識別情報、前記重なり順情報、及び前記配置位置情報を対応付けて記憶部に記憶する制御を行う記憶制御部と、
を備えた乾板管理システム。
【請求項２】
前記配置位置情報は、複数組の前記乾板群が配置される位置管理治具内の前記一組の乾板群の配置位置を表し、
前記受付部は、更に、前記位置管理治具を識別する位置管理治具識別情報、及び前記一組の乾板群を固定する組管理治具を識別する組管理治具識別情報を受け付け、
前記記憶制御部は、前記乾板識別情報に、更に、前記位置管理治具識別情報及び前記組管理治具識別情報を対応付けて前記記憶部に記憶する制御を行う
請求項１に記載の乾板管理システム。
【請求項３】
前記受付部は、更に、前記原子核乾板が使用される検査を識別する検査識別情報を受け付け、
前記記憶制御部は、前記乾板識別情報に、更に、前記検査識別情報を対応付けて前記記憶部に記憶する制御を行う
請求項１又は請求項２に記載の乾板管理システム。
【請求項４】
前記受付部は、更に、前記乾板識別情報により識別される原子核乾板の製造から、前記原子核乾板が使用される検査の終了までの複数の工程の何れの工程が完了したかを表す工程情報を受け付け、
前記記憶制御部は、前記乾板識別情報に、更に、前記工程情報が表す工程が完了したことを表す情報を対応付けて前記記憶部に記憶する制御を行う
請求項１から請求項３の何れか１項に記載の乾板管理システム。
【請求項５】
前記原子核乾板の現像後に前記原子核乾板が複数の断片に分割された場合、前記受付部は、更に、前記複数の断片の各々が分割前の前記原子核乾板の何れの部分であるかを表す分割識別情報を受け付け、
前記記憶制御部は、前記乾板識別情報に、更に、前記分割識別情報を対応付けて前記記憶部に記憶する制御を行う
請求項１から請求項４の何れか１項に記載の乾板管理システム。
【請求項６】
前記受付部は、更に、前記原子核乾板を包装する包材を識別する包材識別情報を受け付け、
前記記憶制御部は、前記乾板識別情報に、更に、前記包材識別情報を対応付けて記憶する制御を行う
請求項１から請求項５の何れか１項に記載の乾板管理システム。
【請求項７】
特定の原子核乾板に対応する前記乾板識別情報又は前記包材識別情報を検索する検索部を備え、
前記受付部は、検索された乾板識別情報又は包材識別情報に対応する新たな前記包材識別情報を受け付け、
前記記憶制御部は、前記乾板識別情報に対応付けて記憶された前記包材識別情報を、受け付けられた新たな包材識別情報によって更新する制御を行う
請求項６に記載の乾板管理システム。
【請求項８】
前記受付部は、更に、再使用可能になった前記原子核乾板について、前記原子核乾板が再使用可能となったことを表す情報を受け付け、
前記検索部は、前記原子核乾板が再使用可能になったことを表す情報に基づいて、前記乾板識別情報又は前記包材識別情報を検索する
請求項７に記載の乾板管理システム。
【請求項９】
前記受付部は、更に、前記位置管理治具の配置位置を表す位置管理治具配置情報を受け付け、
前記記憶制御部は、前記乾板識別情報に、更に、前記位置管理治具配置情報を対応付けて前記記憶部に記憶する制御を行う
請求項２に記載の乾板管理システム。      
【請求項１０】
前記受付部は、更に、使用不可能な状態になった前記原子核乾板について、前記原子核乾板が無効となったことを表す情報を受け付け、
前記記憶制御部は、前記乾板識別情報に、更に、前記原子核乾板が無効となったことを表す情報を対応付けて前記記憶部に記憶する制御を行う
請求項１から請求項９の何れか１項に記載の乾板管理システム。
【請求項１１】
システムのユーザに対して、前記工程毎に、前記記憶制御部による制御により前記記憶部に記憶された情報へのアクセス可否の権限を付与する付与部を更に備えた
請求項４に記載の乾板管理システム。
【請求項１２】
厚み方向に重ねられた複数の原子核乾板を一組の乾板群として取り扱う乾板管理システムによる乾板管理方法であって、
前記原子核乾板を識別する乾板識別情報、前記一組の乾板群における前記原子核乾板の前記厚み方向の重なり順を表す重なり順情報、及び前記一組の乾板群の配置位置を表す配置位置情報を受け付け、
前記乾板識別情報、前記重なり順情報、及び前記配置位置情報を対応付けて記憶部に記憶する制御を行う
乾板管理方法。
【請求項１３】
厚み方向に重ねられた複数の原子核乾板を一組の乾板群として取り扱う乾板管理システムに含まれるコンピュータに、
前記原子核乾板を識別する乾板識別情報、前記一組の乾板群における前記原子核乾板の前記厚み方向の重なり順を表す重なり順情報、及び前記一組の乾板群の配置位置を表す配置位置情報を受け付け、
前記乾板識別情報、前記重なり順情報、及び前記配置位置情報を対応付けて記憶部に記憶する制御を行う
処理を実行させるための乾板管理プログラム。
【発明の詳細な説明】
【技術分野】
【０００１】
本開示は、乾板管理システム、乾板管理方法、及び乾板管理プログラムに関する。
【背景技術】
【０００２】
従来、原子核乾板を用いて、宇宙線に含まれるミュー粒子等の荷電粒子の飛跡を検出することが行われている（特許文献１参照）。
【０００３】
一方、画像が記録される画像記録媒体を管理する技術として、画像記録媒体の識別情報と、画像記録媒体に記録される画像の被写体の識別情報とを対応付ける技術が開示されている（特許文献２参照）。
【先行技術文献】
【特許文献】
【０００４】
【特許文献１】特開２０１０−１０１６７６号公報
【特許文献２】特開２００４−２８７０４０号公報
【発明の概要】
【発明が解決しようとする課題】
【０００５】
ところで、比較的大きい物体を検査対象として荷電粒子及び原子核乾板を用いた非破壊検査を行うために、大面積の原子核乾板が必要とされる。しかしながら、原子核乾板の製造装置、現像装置、及び読取装置等の大きさの制約によって、１枚の原子核乾板の面積には上限がある。従って、大面積に照射される荷電粒子の飛跡を検出するために、例えば、複数枚の原子核乾板が２次元状に並べられて使用される。
【０００６】
一方で、原子核乾板は、保管時及び運搬時等に透過した荷電粒子の飛跡も検出してしまう。このため、非破壊検査の際には、２枚以上の原子核乾板が厚み方向に重ねられた状態で設置される。また、保管時及び運搬時等の設置中以外の期間は、原子核乾板が厚み方向に重ねられてない状態とされる。そして、上記２枚以上の原子核乾板の全てを透過した荷電粒子の飛跡を検出することによって、設置中の飛跡のみを検出することが行われる。
【０００７】
このように検出された荷電粒子の飛跡を用いて、検査対象物の解析が行われる。この解析を精度良く行うためには、非破壊検査に使用される原子核乾板それぞれについて、検査場所における原子核乾板の平面方向の配置位置及び厚み方向の重なり順等の設置状態が正しく管理されていることが好ましい。
【０００８】
しかしながら、特許文献１に記載の技術では、原子核乾板をどのように管理するかについては考慮されていない。また、特許文献２に記載の技術は、収納装置に収納された複数の画像記録媒体から、被写体に対応付けられた画像記録媒体を選択するものであり、画像記録媒体の配置位置及び重なり順を正しく管理することについては考慮されていない。
【０００９】
本開示は、以上の事情を鑑みてなされたものであり、原子核乾板の設置状態を簡易に管理することができる乾板管理システム、乾板管理方法、及び乾板管理プログラムを提供することを目的とする。
【課題を解決するための手段】
【００１０】
上記目的を達成するために、本開示の乾板管理システムは、厚み方向に重ねられた複数の原子核乾板を一組の乾板群として取り扱う乾板管理システムであって、原子核乾板を識別する乾板識別情報、一組の乾板群における原子核乾板の厚み方向の重なり順を表す重なり順情報、及び一組の乾板群の配置位置を表す配置位置情報を受け付ける受付部と、乾板識別情報、重なり順情報、及び配置位置情報を対応付けて記憶部に記憶する制御を行う記憶制御部と、を備える。
【００１１】
これにより、原子核乾板の設置状態を簡易に管理することができる。
【００１２】
なお、本開示の乾板管理システムは、配置位置情報が、複数組の乾板群が配置される位置管理治具内の一組の乾板群の配置位置を表し、受付部が、更に、位置管理治具を識別する位置管理治具識別情報、及び一組の乾板群を固定する組管理治具を識別する組管理治具識別情報を受け付け、記憶制御部が、乾板識別情報に、更に、位置管理治具識別情報及び組管理治具識別情報を対応付けて記憶部に記憶する制御を行ってもよい。
【００１３】
これにより、原子核乾板の設置状態をより詳細に管理することができる。
【００１４】
また、本開示の乾板管理システムは、受付部が、更に、原子核乾板が使用される検査を識別する検査識別情報を受け付け、記憶制御部が、乾板識別情報に、更に、検査識別情報を対応付けて記憶部に記憶する制御を行ってもよい。
【００１５】
これにより、原子核乾板の設置状態を検査毎に管理することができる。
【００１６】
また、本開示の乾板管理システムは、受付部が、更に、乾板識別情報により識別される原子核乾板の製造から、原子核乾板が使用される検査の終了までの複数の工程の何れの工程が完了したかを表す工程情報を受け付け、記憶制御部が、乾板識別情報に、更に、工程情報が表す工程が完了したことを表す情報を対応付けて記憶部に記憶する制御を行ってもよい。
【００１７】
これにより、原子核乾板に関する複数の工程のうち、何れの工程まで完了しているかを把握することができる。
【００１８】
また、本開示の乾板管理システムは、原子核乾板の現像後に原子核乾板が複数の断片に分割された場合、受付部が、更に、複数の断片の各々が分割前の原子核乾板の何れの部分であるかを表す分割識別情報を受け付け、記憶制御部が、乾板識別情報に、更に、分割識別情報を対応付けて記憶部に記憶する制御を行ってもよい。
【００１９】
これにより、原子核乾板が複数の断片に分割された場合でも、複数の断片をそれぞれ管理することができる。
【００２０】
また、本開示の乾板管理システムは、受付部が、更に、原子核乾板を包装する包材を識別する包材識別情報を受け付け、記憶制御部が、乾板識別情報に、更に、包材識別情報を対応付けて記憶する制御を行ってもよい。
【００２１】
これにより、原子核乾板を包装する包材も管理することができる。
【００２２】
また、本開示の乾板管理システムは、特定の乾板に対応する乾板識別情報又は包材識別情報を検索する検索部を備え、受付部が、検索された乾板識別情報又は包材識別情報に対応する新たな包材識別情報を受け付け、記憶制御部が、乾板識別情報に対応付けて記憶された包材識別情報を、受け付けられた新たな包材識別情報によって更新する制御を行ってもよい。
【００２３】
これにより、包材が交換された場合でも、包材識別情報を管理することができる。
【００２４】
また、本開示の乾板管理システムは、受付部が、更に、再使用可能になった原子核乾板について、原子核乾板が再使用可能となったことを表す情報を受け付け、検索部が、原子核乾板が再使用可能になったことを表す情報に基づいて、乾板識別情報又は包材識別情報を検索してもよい。
【００２５】
これにより、再使用可能となった原子核乾板を簡易に把握することができる。
【００２６】
また、本開示の乾板管理システムは、受付部が、更に、位置管理治具の配置位置を表す位置管理治具配置情報を受け付け、記憶制御部が、乾板識別情報に、更に、位置管理治具配置情報を対応付けて記憶部に記憶する制御を行ってもよい。
【００２７】
これにより、位置管理治具の配置位置も管理することができる。
【００２８】
また、本開示の乾板管理システムは、受付部が、更に、使用不可能な状態になった原子核乾板について、原子核乾板が無効となったことを表す情報を受け付け、記憶制御部が、乾板識別情報に、更に、原子核乾板が無効となったことを表す情報を対応付けて記憶部に記憶する制御を行ってもよい。
【００２９】
これにより、使用不可となった原子核乾板を把握することができる。
【００３０】
また、本開示の乾板管理システムは、システムのユーザに対して、工程毎に、記憶制御部による制御により記憶部に記憶された情報へのアクセス可否の権限を付与する付与部を更に備えてもよい。
【００３１】
これにより、アクセス権限の管理を細かく行うことができる。
【００３２】
また、本開示の乾板管理方法は、厚み方向に重ねられた複数の原子核乾板を一組の乾板群として取り扱う乾板管理システムによる乾板管理方法であって、原子核乾板を識別する乾板識別情報、一組の乾板群における原子核乾板の厚み方向の重なり順を表す重なり順情報、及び一組の乾板群の配置位置を表す配置位置情報を受け付け、乾板識別情報、重なり順情報、及び配置位置情報を対応付けて記憶部に記憶する制御を行うものである。
【００３３】
また、本開示の乾板管理プログラムは、厚み方向に重ねられた複数の原子核乾板を一組の乾板群として取り扱う乾板管理システムに含まれるコンピュータに、原子核乾板を識別する乾板識別情報、一組の乾板群における原子核乾板の厚み方向の重なり順を表す重なり順情報、及び一組の乾板群の配置位置を表す配置位置情報を受け付け、乾板識別情報、重なり順情報、及び配置位置情報を対応付けて記憶部に記憶する制御を行う処理を実行させるためのものである。
【発明の効果】
【００３４】
本開示によれば、原子核乾板の設置状態を簡易に管理することができる。
【図面の簡単な説明】
【００３５】
【図１】実施形態に係る乾板管理システムの構成の一例を示すブロック図である。
【図２】実施形態に係る原子核乾板の一例を示す側面断面図である。
【図３】実施形態に係る原子核乾板が重ねられた状態の一例を示す側面断面図である。
【図４】実施形態に係るホルダの一例を示す側面図である。
【図５】実施形態に係るフレームの一例を示す平面図である。
【図６】実施形態に係る水平用フレーム及び垂直用フレームの一例を示す側面図である。
【図７】実施形態に係る情報処理装置のハードウェア構成の一例を示すブロック図である。
【図８】実施形態に係るフレーム管理テーブルの一例を示す図である。
【図９】実施形態に係るフレーム種類登録画面の一例を示す図である。
【図１０】実施形態に係るフレーム登録画面の一例を示す図である。
【図１１】実施形態に係るホルダ管理テーブルの一例を示す図である。
【図１２】実施形態に係る乾板管理テーブルの一例を示す図である。
【図１３】実施形態に係る検査管理テーブルの一例を示す図である。
【図１４】実施形態に係る端末装置のハードウェア構成の一例を示すブロック図である。
【図１５】実施形態に係る情報処理装置の機能的な構成の一例を示すブロック図である。
【図１６】実施形態に係る設置設計情報登録画面の一例を示す図である。
【図１７】実施形態に係る乾板登録画面の一例を示す図である。
【図１８】実施形態に係る包材登録画面の一例を示す図である。
【図１９】実施形態に係る分割登録画面の一例を示す図である。
【図２０】実施形態に係る読取登録画面の一例を示す図である。
【図２１】実施形態に係る端末装置の機能的な構成の一例を示すブロック図である。
【図２２】実施形態に係る設置情報登録画面の一例を示す図である。
【図２３】実施形態に係るフレーム登録画面の一例を示す図である。
【図２４】実施形態に係るホルダ登録画面の一例を示す図である。
【図２５】実施形態に係る端末装置で実行される設置処理の一例を示すフローチャートである。
【図２６】実施形態に係る情報処理装置で実行される設置処理の一例を示すフローチャートである。
【図２７】実施形態に係る端末装置で実行される回収処理の一例を示すフローチャートである。
【図２８】実施形態に係る情報処理装置で実行される回収処理の一例を示すフローチャートである。
【図２９】実施形態に係る参照画面の一例を示す図である。
【発明を実施するための形態】
【００３６】
以下、図面を参照して、本開示の技術を実施するための形態例を詳細に説明する。
【００３７】
まず、図１を参照して、本実施形態に係る乾板管理システム１０の構成を説明する。図１に示すように、乾板管理システム１０は、情報処理装置１２及び複数の端末装置１４を含む。情報処理装置１２及び複数の端末装置１４は、それぞれネットワークＮに接続され、ネットワークＮを介して互いに通信が可能とされる。
【００３８】
次に、図２を参照して、乾板管理システム１０が取り扱う原子核乾板ＮＰについて説明する。図２に示すように、本実施形態に係る原子核乾板ＮＰは、２つの乳剤層ＥＬ及び１つのフィルムベースＦＢを備え、フィルムベースＦＢの両面に、乳剤層ＥＬが塗布されている。フィルムベースＦＢは、例えば、プラスチック製である。乳剤層ＥＬは、例えば、ハロゲン化銀を含む。また、原子核乾板ＮＰは、感光を防ぐために、アルミニウム箔ＡＰによって包装される。乳剤層ＥＬが、荷電粒子が透過することにより、荷電粒子の飛跡が潜像として記録される飛跡記録層の一例である。なお、飛跡記録層に含まれるハロゲン化銀以外の飛跡記録材料として、例えば、シュウ酸第二鉄塩を含む鉄塩感光材料、又は芳香族ジアゾニウム塩を含むジアゾ感光材を用いることも可能である。また、アルミニウム箔ＡＰが原子核乾板ＮＰを包装する包材の一例である。
【００３９】
宇宙線に含まれるミュー粒子が原子核乾板ＮＰを透過すると、乳剤層ＥＬ内での電離作用によって発生した電子により、乳剤層ＥＬ内にミュー粒子の飛跡Ｔに沿った潜像が記録される。なお、図２の例では、飛跡Ｔのうち、乳剤層ＥＬ内に潜像として記録される部分を実線で示し、乳剤層ＥＬ内に潜像として記録される部分以外の部分を破線で示している。ミュー粒子が開示の技術に係る荷電粒子の一例である。なお、荷電粒子は、ミュー粒子に限定されない。例えば、荷電粒子は、γ線又は中性子線等から２次的に発生した電子又は陽子でもよい。
【００４０】
原子核乾板ＮＰを用いた非破壊検査では、検査対象物の周辺に原子核乾板ＮＰを設置し、設置中に原子核乾板ＮＰに記録されたミュー粒子の飛跡Ｔを抽出し、抽出した飛跡Ｔを解析することによって検査対象物の密度等が得られる。
【００４１】
ミュー粒子は、宇宙から常に照射されるため、原子核乾板ＮＰには、非破壊検査のための設置中の期間に加え、設置中以外の期間にもミュー粒子の飛跡Ｔが記録される。この設置中以外の期間の例としては、保管期間及び運搬期間等が挙げられる。従って、原子核乾板ＮＰに記録されたミュー粒子のうち、設置中の期間に記録されたミュー粒子のみを区別することが好ましい。
【００４２】
そこで、本実施形態に係る乾板管理システム１０では、図３に示すように、２枚の原子核乾板ＮＰが厚み方向に重ねられ、厚み方向に重ねられた２枚の原子核乾板ＮＰが一組の乾板群として取り扱われる。なお、一組の乾板群に含まれる原子核乾板ＮＰの枚数は２枚に限定されず、３枚以上でもよい。
【００４３】
このように、本実施形態では、非破壊検査のための設置中の期間は、２枚の原子核乾板ＮＰを厚み方向に重ねることに対し、設置中以外の期間は、２枚の原子核乾板ＮＰを重ねずに取り扱う。これにより、各原子核乾板ＮＰに記録された飛跡Ｔのうち、２枚の原子核乾板ＮＰを貫通した飛跡Ｔのみが、設置中の期間に記録された飛跡であると区別することができる。図３の例では、設置中の期間に記録された飛跡を飛跡Ｔ１として示し、設置中の期間以外に記録された飛跡を飛跡Ｔ２として示している。
【００４４】
また、図４に示すように、非破壊検査のための設置中の期間は、重ねられた２枚の原子核乾板ＮＰを固定するために、ホルダＨが用いられる。ホルダＨは、一組の乾板群の両側の面を２枚の金属板で挟み、ボルト及びナット等の固定部材を用いて、一組の乾板群を固定する。なお、図４では、見易さのために、アルミニウム箔ＡＰの図示を省略している。ホルダＨが、一組の乾板群を固定する組管理治具の一例である。
【００４５】
また、図５に示すように、一組の乾板群は、検査対象物の周辺等の設置場所に設置される場合、フレームＦ内の定められた配置位置に配置される。なお、図５では、一組の乾板群の配置位置を破線の矩形で表している。すなわち、図５の例では、１つのフレームＦ内に、９組（＝３×３）の乾板群が配置可能となる。フレームＦが、複数組の乾板群が配置される位置管理治具の一例である。また、図５に示すように、フレームＦ内の一組の乾板群の配置位置には、それぞれ配置位置を識別する配置位置識別情報が割り当てられている。図５の例では、フレームＦの幅方向には、アルファベットが順に割り当てられ、フレームＦの高さ方向には、数字が順に割り当てられ、アルファベットと数字との組み合わせで配置位置が識別可能となっている。
【００４６】
また、図６に示すように、本実施形態に係るフレームＦには、一組の乾板群が配置される面（以下、「配置面」という）を水平にした状態で設置する水平用のフレームと、配置面を垂直にした状態で設置する垂直用のフレームとが存在する。なお、図６の例では、水平用のフレームをフレームＦＨとして示し、垂直用のフレームをフレームＦＶとして示している。
【００４７】
次に、図７を参照して、本実施形態に係る情報処理装置１２のハードウェア構成を説明する。図７に示すように、情報処理装置１２は、ＣＰＵ（Central Processing Unit）２０、一時記憶領域としてのメモリ２１、及び不揮発性の記憶部２２を含む。また、情報処理装置１２は、液晶ディスプレイ等の表示部２３、キーボードとマウス等の入力部２４、及びネットワークＮに接続されるネットワークＩ／Ｆ（InterFace）２５を含む。ＣＰＵ２０、メモリ２１、記憶部２２、表示部２３、入力部２４、及びネットワークＩ／Ｆ２５は、バス２６に接続される。情報処理装置１２の例としては、サーバコンピュータが挙げられる。
【００４８】
記憶部２２は、ＨＤＤ（Hard Disk Drive）、ＳＳＤ（Solid State Drive）、及びフラッシュメモリ等によって実現される。記憶媒体としての記憶部２２には、乾板管理プログラム３０が記憶される。ＣＰＵ２０は、記憶部２２から乾板管理プログラム３０を読み出してからメモリ２１に展開し、展開した乾板管理プログラム３０を実行する。また、記憶部２２には、フレーム管理テーブル３２、ホルダ管理テーブル３４、乾板管理テーブル３６、及び検査管理テーブル３８が記憶される。
【００４９】
図８に、フレーム管理テーブル３２の一例を示す。フレーム管理テーブル３２は、フレームＦに関する情報が記憶されるテーブルである。図８に示すように、フレーム管理テーブル３２には、フレームＦを識別する位置管理治具識別情報の一例としてのフレームＩＤと、フレームＦの種類と、フレームＦ内に配置されるホルダＨの個数（すなわち、乾板群の組数）とが対応付けられて記憶される。フレームＦの種類とは、フレームＦが、前述した水平用のフレームであるか、又は垂直用のフレームであるかを表す。また、ホルダＨの個数とは、フレームＦ内に縦に並べて配置可能なホルダＨの個数の上限値と、フレームＦ内に横に並べて配置可能なホルダＨの個数の上限値を表す。例えば、図８の例におけるフレームＩＤが「Ｆ＿Ｈ＿００１」のフレームＦは、水平用のフレームであり、かつ図５に示すように、９組（＝３×３）の乾板群が配置可能である。
【００５０】
また、本実施形態では、フレームＩＤの先頭に、フレームＦであることを表す「Ｆ」が付与され、次に、水平用のフレームであることを表す「Ｈ」又は垂直用のフレームであることを表す「Ｖ」が付与される。従って、ユーザは、フレームＩＤの文字列から、その文字列が表すものが、フレームＦであり、かつそのフレームＦの種類を把握することができる。
【００５１】
フレームＦは、一例として図９に示すフレーム種類登録画面及び図１０に示すフレーム登録画面によってシステムに登録される。製造担当者は、工場等に設置された製造者用の端末装置１４を使用し、図９に示すフレーム種類登録画面を介してフレーム種類名と、フレームＦ内に設置可能なホルダＨの個数とを登録する。次に、製造担当者は、端末装置１４を使用し、図１０に示すフレーム登録画面を介して、登録対象とするフレームＦの種類及びフレームＦの個数を登録する。この登録操作に従って、情報処理装置１２は、登録された個数分のフレームＩＤを生成し、生成したフレームＩＤ、フレームＦの種類、及びホルダＨの個数を対応付けてフレーム管理テーブル３２に記憶する。
【００５２】
図１１に、ホルダ管理テーブル３４の一例を示す。ホルダ管理テーブル３４は、ホルダＨに関する情報が記憶されるテーブルである。図１１に示すように、ホルダ管理テーブル３４には、ホルダＨを識別する組管理治具識別情報の一例としてのホルダＩＤと、ホルダＨによって固定される原子核乾板ＮＰのサイズとが対応付けられて記憶される。なお、本実施形態に係るホルダ管理テーブル３４では、原子核乾板ＮＰのサイズとして、原子核乾板ＮＰの平面の幅と高さとが記憶される。
【００５３】
また、本実施形態では、ホルダＩＤの先頭に、ホルダＨであることを表す「Ｈ」が付与される。従って、ユーザは、ホルダＩＤの文字列から、その文字列が表すものが、ホルダＨであることを把握することができる。
【００５４】
ホルダＨもフレームＦと同様に、製造担当者が、工場等に設置された製造者用の端末装置１４を使用してシステムに登録することができる。
【００５５】
図１２に、乾板管理テーブル３６の一例を示す。乾板管理テーブル３６は、原子核乾板ＮＰに関する情報が記憶されるテーブルである。図１２に示すように、乾板管理テーブル３６には、原子核乾板ＮＰを識別する乾板識別情報の一例としての乾板ＩＤと、原子核乾板ＮＰを包装するアルミニウム箔ＡＰを識別する包材識別情報の一例としての包材ＩＤとが対応付けられて記憶される。乾板管理テーブル３６には、更に、乾板ＩＤに対応付けられて、原子核乾板ＮＰのサイズと、原子核乾板ＮＰの分割予定数と、原子核乾板ＮＰのステータスとが記憶される。１枚の原子核乾板ＮＰは１つの包材によって包装されるため、乾板ＩＤと包材ＩＤとは１対１で対応する。従って、包材ＩＤは、原子核乾板ＮＰの乾板識別情報も兼ねることとなる。本実施形態では、包材ＩＤの先頭に、アルミニウム箔ＡＰであることを表す「Ｐ」が付与される。従って、ユーザは、包材ＩＤの文字列から、その文字列が表すものが、アルミニウム箔ＡＰであることを把握することができる。
【００５６】
原子核乾板ＮＰの読取装置の設計仕様及び原子核乾板ＮＰのサイズによっては、原子核乾板ＮＰの現像後、原子核乾板ＮＰの読み取りの際に、原子核乾板ＮＰを複数の断片に分割する場合がある。本実施形態に係る分割予定数とは、その分割の際における原子核乾板ＮＰの分割数の予定値を意味する。
【００５７】
原子核乾板ＮＰのステータスとは、原子核乾板ＮＰの製造から、原子核乾板ＮＰが使用される検査の終了までの複数の工程の何れの工程が完了したかを表す工程情報の一例である。例えば、製造が完了し、乾板管理テーブル３６に記憶された乾板のステータスは「製造済み」となる。また、例えば、検査対象物の周辺等の設置場所への設置が終わった原子核乾板ＮＰのステータスは、「設置済み」となる。また、例えば、原子核乾板ＮＰのステータスは、設置されている原子核乾板ＮＰの回収が終わった段階で「回収済み」となり、現像が終わった段階で「現像済み」となる。
【００５８】
図１３に、検査管理テーブル３８の一例を示す。検査管理テーブル３８は、原子核乾板ＮＰが使用される検査を識別する検査識別情報の一例としての検査ＩＤ毎に作成され、検査に関する情報が記憶されるテーブルである。図１３に示すように、検査管理テーブル３８には、フレームＩＤ、フレームＦの設置場所、フレームＦ内の配置位置、乾板ＩＤ、包材ＩＤ、ホルダＩＤ、設置日、設置作業の担当者の識別情報、回収日、回収作業の担当者の識別情報、現像日、現像作業の担当者の識別情報、読取日、読取作業の担当者の識別情報、及び分割枝番等が記憶される。なお、各作業の担当者の識別情報としては、例えば、氏名を適用することができる。設置作業の担当者、回収作業の担当者、現像作業の担当者及び読取作業の担当者等の各作業の担当者が、開示の技術に係る作業担当者の一例である。
【００５９】
また、記憶部２２には、システムへのログインに使用されるユーザ管理テーブル（図示省略）も記憶される。ユーザ管理テーブルには、システムを使用するユーザ毎に、ユーザＩＤ、パスワード、ユーザの識別情報の一例としての氏名、及びアクセス権限が記憶される。
【００６０】
次に、図１４を参照して、本実施形態に係る端末装置１４のハードウェア構成を説明する。図１４に示すように、端末装置１４は、ＣＰＵ４０、一時記憶領域としてのメモリ４１、及び不揮発性の記憶部４２を含む。また、端末装置１４は、液晶ディスプレイ等の表示部４３、キーボードとマウス又はタッチパネル等の入力部４４、ネットワークＮに接続されるネットワークＩ／Ｆ４５、及び外部Ｉ／Ｆ４６を含む。ＣＰＵ４０、メモリ４１、記憶部４２、表示部４３、入力部４４、ネットワークＩ／Ｆ４５、及び外部Ｉ／Ｆ４６は、バス４７に接続される。外部Ｉ／Ｆ４６には、例えば、ＱＲコード（登録商標）等の二次元コードを読み取る読取部４８が接続される。読取部４８の例としては、ＱＲコードリーダーが挙げられる。端末装置１４の例としては、スマートフォン、タブレットコンピュータ、及びパーソナルコンピュータ等が挙げられる。
【００６１】
記憶部４２は、ＨＤＤ、ＳＳＤ、及びフラッシュメモリ等によって実現される。記憶媒体としての記憶部４２には、端末処理プログラム５０が記憶される。ＣＰＵ４０は、記憶部４２から端末処理プログラム５０を読み出してからメモリ４１に展開し、展開した端末処理プログラム５０を実行する。なお、前述したユーザ管理テーブルは、端末装置１４にも記憶されていてもよい。この場合、端末装置１４が情報処理装置１２との通信が不可能な場合でも、システムへのログインが可能とできる。
【００６２】
本実施形態では、原子核乾板ＮＰには、原子核乾板ＮＰを識別する乾板ＩＤを表すＱＲコードが付されている。従って、ユーザは、読取部４８により原子核乾板ＮＰに付されたＱＲコードを読み取らせることによって、簡易に乾板ＩＤを読み取ることができる。また、アルミニウム箔ＡＰには包材ＩＤを表すＱＲコードが付されており、フレームＦにはフレームＩＤを表すＱＲコードが付されている。また、フレームＦ内の一組の乾板群の各配置位置付近にも、その配置位置に対応する配置位置ＩＤを表すＱＲコードが付されている。また、ホルダＨにもホルダＩＤを表すＱＲコードが付されている。なお、ＱＲコードは、例えば、ラベルに印刷された状態で各部材に貼り付けられてもよいし、レーザーマーカー等によって各部材に直接形成されてもよい。
【００６３】
次に、図１５を参照して、本実施形態に係る情報処理装置１２の機能的な構成について説明する。図１５に示すように、情報処理装置１２は、受付部６０及び記憶制御部６２を含む。ＣＰＵ２０が乾板管理プログラム３０を実行することで、受付部６０及び記憶制御部６２として機能する。
【００６４】
設計担当者は、非破壊検査にあたり、検査対象物の周辺のどの場所に、どの種類のフレームＦを何個設置するかを設計する。なお、本明細書ではこの設計を「設置設計」という。
【００６５】
設計担当者は、設置設計の完了後に、設計者用の端末装置１４を使用し、一例として図１６に示す設置設計に関する情報（以下、「設置設計情報」という）を登録するための設置設計情報登録画面を介して、設置設計情報を入力する。設計担当者は、一例として図１６に示すように、非破壊検査に必要なフレームＦの種類及び個数を入力する。フレームＦの種類及び個数が入力されると、入力された個数分のフレームＦの配置位置を表す設置場所ＩＤが割り当てられる。図１６の例では、２つの垂直用フレームそれぞれに設置場所ＩＤが割り当てられ、３つの水平用フレームそれぞれに設置場所ＩＤが割り当てられる。設置場所ＩＤが、開示の技術に係る位置管理治具配置情報の一例である。
【００６６】
また、設計担当者は、割り当てられた設置場所ＩＤと、設置設計におけるフレームＦの配置位置とを対応付ける。次に、設計担当者は、設置場所ＩＤとフレームＦの配置位置とを対応付けるための情報を、各設置場所ＩＤに対応する備考欄に入力する。そして、設計担当者は、登録ボタンを指定することによって設置設計情報を登録する。この設置設計情報には、原子核乾板ＮＰを用いた検査におけるフレームＦの種類及び個数が含まれる。更に、設置設計情報には、検査ＩＤ、設置場所ＩＤ、及び設置場所ＩＤとフレームＦの配置とを対応付けるための情報とが含まれる。
【００６７】
受付部６０は、前述した設置設計担当者の操作によって登録された設置設計情報を受け付ける。
【００６８】
製造担当者は、製造者用の端末装置１４を使用し、一例として図１７に示す原子核乾板ＮＰに関する情報を登録するための乾板登録画面を介して、原子核乾板ＮＰに関する情報を入力する。製造担当者は、一例として図１７に示すように、製造担当者の識別情報の一例としての氏名、登録日、原子核乾板ＮＰの重なり順を表す重なり順情報、原子核乾板ＮＰの枚数、分割予定数、及び原子核乾板ＮＰのサイズを入力する。本実施形態では、原子核乾板ＮＰの重なり順情報として、「上」と「下」とを適用した形態例を説明する。なお、ここでいう「上」とはμ粒子の入射側を表し、「下」とはμ粒子の入射側の反対側（フレームＦに設置された状態でのフレームＦ側）を意味する。以下では、重なり順が「上」の原子核乾板ＮＰを「上乾板」といい、重なり順が「下」の原子核乾板ＮＰを「下乾板」という。また、登録日は、端末装置１４が保持する日付情報を自動的に入力し、氏名はユーザ管理テーブルから自動的に取得したユーザの識別情報を入力してもよい。
【００６９】
本実施形態では、情報処理装置１２は、乾板登録画面において入力された登録日、原子核乾板ＮＰの重なり順情報、及び原子核乾板ＮＰの枚数に応じて、乾板ＩＤを生成する。具体的には、図１７に示すように、乾板ＩＤには、登録日を表す数字列、原子核乾板ＮＰの重なり順情報の一例としてのアルファベットが一文字、及び枚数に応じた連番が含まれる。なお、原子核乾板ＮＰの重なり順を表すアルファベットは、「Ａ」が「上」に対応し、「Ｂ」が「下」に対応する。従って、システムのユーザは、乾板ＩＤを見ることによって、乾板ＩＤにより識別される乾板の登録日と、重なり順とを把握することができる。詳細は後述するが、乾板ＩＤは、読取部４８により読み取ることができる。また、この重なり順を表すアルファベットは包材ＩＤにも同様に含まれる。すなわち、アルミニウム箔ＡＰも、包材ＩＤによって上乾板用のアルミニウム箔ＡＰであるか、又は下乾板用のアルミニウム箔ＡＰであるかを把握することができる。
【００７０】
製造担当者は、登録ボタンを指定することによって原子核乾板ＮＰに関する情報を登録する。この登録操作によって、端末装置１４から情報処理装置１２に対して、乾板ＩＤ、原子核乾板ＮＰのサイズ、分割予定数、担当者の氏名が送信される。
【００７１】
受付部６０は、端末装置１４から送信された乾板ＩＤ、原子核乾板ＮＰのサイズ、分割予定数、担当者の氏名を受け付ける。
【００７２】
製造担当者は、登録した乾板ＩＤにより識別される原子核乾板ＮＰをアルミニウム箔ＡＰにより包装する際に、一例として図１８に示す包材登録画面を介して、乾板ＩＤに対応付けて包材ＩＤを登録する。図１８に示す包材登録画面のＩＤ入力欄に、乾板ＩＤ又は包材ＩＤが入力される。前述した通り、乾板ＩＤ及び包材ＩＤにはそれぞれを区別するための命名規則があるため、端末装置１４は、ＩＤ入力欄に入力された情報が乾板ＩＤであるか、又は包材ＩＤであるかを特定することができる。そこで、端末装置１４は、特定した結果に従って、ＩＤ入力欄に入力された情報を乾板ＩＤの表示欄又は包材ＩＤの表示欄に表示する。これらの乾板ＩＤ及び包材ＩＤの入力は、読取部４８によるＱＲコードの読み取り結果を用いて行うことができる。
【００７３】
なお、端末装置１４は、ＩＤ入力欄に入力された情報の妥当性を検証してもよい。この場合、例えば、端末装置１４は、乾板ＩＤの命名規則及び包材ＩＤの命名規則に該当しない情報がＩＤ入力欄に入力された場合、表示部４３にエラーメッセージを表示する形態が例示される。また、例えば、端末装置１４は、入力された乾板ＩＤに含まれる重なり順情報と、入力された包材ＩＤに含まれる重なり順情報とが一致しない場合、表示部４３にエラーメッセージを表示する形態が例示される。また、例えば、端末装置１４は、ＩＤ入力欄に入力された情報が２つとも包材ＩＤだった場合、又は２つとも乾板ＩＤだった場合、表示部４３にエラーメッセージを表示する形態が例示される。なお、これらの妥当性の検証は、情報処理装置１２が行ってもよい。
【００７４】
製造担当者は、登録ボタンを指定することによって乾板ＩＤに対応付けて包材ＩＤを登録する。この登録操作によって、端末装置１４から情報処理装置１２に対して、乾板ＩＤ及び包材ＩＤが送信される。
【００７５】
受付部６０は、端末装置１４から送信された乾板ＩＤ及び包材ＩＤを受け付ける。
【００７６】
受付部６０は、端末装置１４から送信された検査ＩＤ、設置場所ＩＤ、包材ＩＤ、配置位置情報、ホルダＩＤ、設置日、及び設置担当者の識別情報を受け付ける。受付部６０は、端末装置１４から送信された検査ＩＤ、設置場所ＩＤ、包材ＩＤ、配置位置情報、ホルダＩＤ、回収日、及び回収担当者の識別情報を受け付ける。
【００７７】
受付部６０は、端末装置１４から送信された検査ＩＤ、乾板ＩＤ、現像日、現像担当者の識別情報、及び現像機の識別情報を受け付ける。
【００７８】
分割担当者は、現像後の原子核乾板ＮＰを読み取る際に原子核乾板ＮＰを複数の断片に分割した場合、一例として図１９に示す分割登録画面において、分割した乾板ＩＤが表す原子核乾板ＮＰの分割数を登録する。これにより、分割数に応じて分割された複数の断片の各々が分割前の原子核乾板ＮＰの何れの部分であるかを表す分割枝番が割り当てられる。例えば、原子核乾板ＮＰが左右の２つの断片に分割された場合、左の断片には分割枝番として「Ｌ」が割り当てられ、右の断片には分割枝番として「Ｒ」が割り当てられる。従って、乾板ＩＤと分割枝番とを用いることによって、断片を一意に識別することができる。分割枝番が、複数の断片の各々が分割前の原子核乾板ＮＰの何れの部分であるかを表す分割識別情報の一例である。
【００７９】
分割担当者は、登録ボタンを指定することによって乾板ＩＤに対応付けて分割枝番を登録する。この登録操作によって、端末装置１４から情報処理装置１２に対して、乾板ＩＤ及び分割枝番が送信される。
【００８０】
受付部６０は、端末装置１４から送信された乾板ＩＤ及び分割枝番を受け付ける。
【００８１】
また、読取担当者は、現像後の原子核乾板ＮＰを読み取る際に、一例として図２０に示す読み取りに関する情報を登録するための読取登録画面を介して、読み取りに関する情報を入力する。読取担当者は、一例として図２０に示すように、読み取り対象の乾板ＩＤ、読取日、読取担当者の識別情報、読取機の識別情報、読み取りに用いるソフトウェアのバージョンを入力する。読取担当者は、登録ボタンを指定することによって読み取りに関する情報を登録する。この登録操作によって、端末装置１４から情報処理装置１２に対して、乾板ＩＤ、読取日、読取担当者の識別情報、読取機の識別情報、読み取りに用いるソフトウェアのバージョンが送信される。
【００８２】
受付部６０は、端末装置１４から送信された乾板ＩＤ、読取日、読取担当者の識別情報、読取機の識別情報、読み取りに用いるソフトウェアのバージョンを受け付ける。
【００８３】
記憶制御部６２は、受付部６０により受け付けられた設置設計情報を記憶部２２に記憶する制御を行う。記憶制御部６２は、受付部６０により受け付けられた乾板ＩＤ、原子核乾板ＮＰのサイズ、分割予定数、担当者の氏名を乾板管理テーブル３６に記憶する制御を行う。また、この際、記憶制御部６２は、記憶した乾板ＩＤに対応する乾板管理テーブル３６のステータス列を「製造済み」に更新する。
【００８４】
記憶制御部６２は、受付部６０により受け付けられた乾板ＩＤ及び包材ＩＤを用いて、乾板ＩＤに対応付けて包材ＩＤを乾板管理テーブル３６に記憶する制御を行う。この際、記憶制御部６２は、記憶した包材ＩＤに対応する乾板管理テーブル３６のステータス列を「包装済み」に更新する。
【００８５】
記憶制御部６２は、受付部６０により受け付けられた検査ＩＤに対応する検査管理テーブル３８に、受付部６０により受け付けられた設置場所ＩＤ、包材ＩＤ、配置位置情報、ホルダＩＤ、設置日、及び設置担当者の識別情報を対応付けて記憶する制御を行う。また、この際、記憶制御部６２は、受付部６０により受け付けられた包材ＩＤに対応する乾板ＩＤを乾板管理テーブル３６から取得し、取得した乾板ＩＤを包材ＩＤに対応付けて検査管理テーブル３８に記憶する制御を行う。また、この際、記憶制御部６２は、受付部６０により受け付けられた包材ＩＤに対応する乾板管理テーブル３６のステータス列を「設置済み」に更新する。
【００８６】
記憶制御部６２は、受付部６０により受け付けられた検査ＩＤに対応する検査管理テーブル３８に、受付部６０により受け付けられた包材ＩＤに対応付けて、回収日及び回収担当者の識別情報を記憶する制御を行う。また、この際、記憶制御部６２は、包材ＩＤに対応付けて検査管理テーブル３８に記憶済みの設置場所ＩＤ、包材ＩＤ、配置位置情報、ホルダＩＤが、受付部６０により受け付けられた設置場所ＩＤ、包材ＩＤ、配置位置情報、ホルダＩＤと異なる場合は、以下に示すように、検査管理テーブル３８を更新する。すなわち、この場合、記憶制御部６２は、受付部６０により受け付けられた設置場所ＩＤ、包材ＩＤ、配置位置情報、ホルダＩＤによって検査管理テーブル３８を更新する制御を行う。また、この際、記憶制御部６２は、受付部６０により受け付けられた包材ＩＤに対応する乾板管理テーブル３６のステータス列を「回収済み」に更新する。
【００８７】
記憶制御部６２は、受付部６０により受け付けられた検査ＩＤに対応する検査管理テーブル３８に、受付部６０により受け付けられた乾板ＩＤに対応付けて現像日、現像担当者の識別情報、及び現像機の識別情報を記憶する制御を行う。また、この際、記憶制御部６２は、受付部６０により受け付けられた乾板ＩＤに対応する乾板管理テーブル３６のステータス列を「現像済み」に更新する。
【００８８】
記憶制御部６２は、検査管理テーブル３８に対し、受付部６０により受け付けられた乾板ＩＤのレコードを分割枝番の数になるように複製し、それぞれのレコードに分割枝番を記憶する制御を行う。
【００８９】
記憶制御部６２は、検査管理テーブル３８に対し、受付部６０により受け付けられた乾板ＩＤに対応付けて、読取日、読取担当者の識別情報、読取機の識別情報、及び読み取りに用いるソフトウェアのバージョンを記憶する制御を行う。また、この際、記憶制御部６２は、受付部６０により受け付けられた乾板ＩＤに対応する乾板管理テーブル３６のステータス列を「読取済み」に更新する。
【００９０】
次に、図２１を参照して、本実施形態に係る端末装置１４の機能的な構成について説明する。図２１に示すように、端末装置１４は、取得部７０、検証部７２、判定部７４、及び出力部７６を含む。ＣＰＵ４０が端末処理プログラム５０を実行することで、取得部７０、検証部７２、判定部７４、及び出力部７６として機能する。
【００９１】
取得部７０は、設置担当者により指定された検査ＩＤに対応する設置設計情報を情報処理装置１２から取得する。取得部７０により取得された設置設計情報に従って、一例として図２２に示す設置情報登録画面が表示部４３に表示される。設置担当者は、フレームＦが未設置の設置場所ＩＤを選択する。設置情報登録画面において設置場所ＩＤが選択されると、画面は一例として図２３に示すフレーム登録画面に遷移する。
【００９２】
図２３に示すフレーム登録画面において、設置担当者は、フレームＦに付されたフレームＩＤを表すＱＲコードを、読取部４８に読み取らせる。取得部７０は、設置場所ＩＤと、読取部４８により読み取られたフレームＩＤとを取得する。
【００９３】
また、設置担当者は、設置済みのフレームＦを表すフレームＩＤを選択する。フレームＩＤが選択されると、画面は一例として図２４に示すホルダ登録画面に遷移する。設置担当者は、フレームＦ内の一組の乾板群の配置位置付近のＱＲコードを読取部４８に読み取らせ、その配置位置に設置する一組の乾板群それぞれのアルミニウム箔ＡＰのＱＲコードと、一組の乾板群を固定するホルダＨのＱＲコードとを読取部４８に読み取らせる。設置担当者は、このＱＲコードの読み取りをフレームＦ内の一組の乾板群の各配置位置について実行することを繰り返す。
【００９４】
取得部７０は、各フレームＦについて、読取部４８により読み取られた各配置位置についての配置位置情報、ホルダＩＤ、上乾板を包装する包材の包材ＩＤ、及び下乾板を包装する包材の包材ＩＤを取得する。
【００９５】
取得部７０は、原子核乾板ＮＰの回収作業の際、回収担当者により指定された検査ＩＤに対応する検査管理テーブル３８を情報処理装置１２から取得する。
【００９６】
回収担当者は、原子核乾板ＮＰの回収作業の際、設置の際と同様に、各部材のＱＲコードを読取部４８に読み取らせる。取得部７０は、各フレームＦについて、読取部４８により読み取られた各配置位置についての配置位置情報、ホルダＩＤ、上乾板を包装する包材の包材ＩＤ、及び下乾板を包装する包材の包材ＩＤを取得する。
【００９７】
検証部７２は、一組の乾板群の原子核乾板ＮＰそれぞれの重なり順情報を用いて、一組の乾板群における原子核乾板ＮＰの重なり順の妥当性を検証する。具体的には、検証部７２は、取得部７０により取得された一組の上乾板を包装する包材の包材ＩＤ、及び下乾板を包装する包材の包材ＩＤのそれぞれに含まれる重なり順情報が、上乾板であることを表すアルファベット（本実施形態では「Ａ」）と下乾板であることを表すアルファベット（本実施形態では「Ｂ」）とであるか否かを判定する。この判定により、検証部７２は、重なり順が正しいか否かを判定する。なお、例えば、一組の乾板群のＱＲコードを読む順番を予め定めておき、読取部４８による読み取り順と、重なり順情報とを用いて、一組の乾板群における原子核乾板ＮＰの重なり順の妥当性を検証してもよい。例えば、検証部７２は、一組の乾板群について、ホルダＨ、上乾板、及び下乾板の順にＱＲコードを読み取ると定めている場合、２番目に読み取られた包材ＩＤに含まれる重なり順情報が、上乾板であることを表すアルファベットであるか否かによって重なり順が正しいか否かを判定する。また、この場合、検証部７２は、３番目に読み取られた包材ＩＤに含まれる重なり順情報が、下乾板であることを表すアルファベットであるか否かによって重なり順が正しいか否かを判定する。
【００９８】
判定部７４は、原子核乾板ＮＰを回収する際に取得部７０により取得された配置位置情報、ホルダＩＤ、上乾板を包装する包材の包材ＩＤ、及び下乾板を包装する包材の包材ＩＤが、検査管理テーブル３８に記憶された情報と同じであるか否かを判定する。ここでいう検査管理テーブル３８に記憶された情報とは、原子核乾板ＮＰを設置する際の配置位置情報、ホルダＩＤ、上乾板を包装する包材の包材ＩＤ、及び下乾板を包装する包材の包材ＩＤを意味する。
【００９９】
出力部７６は、検証部７２により一組の乾板群における原子核乾板ＮＰの重なり順が正しくないと判定された場合、原子核乾板ＮＰの重なり順が正しくない旨を報知するメッセージを表示部４３に出力する。また、出力部７６は、判定部７４により原子核乾板ＮＰを回収する際と設置する際とで、配置位置情報、ホルダＩＤ、上乾板を包装する包材の包材ＩＤ、及び下乾板を包装する包材の包材ＩＤの少なくとも１つが異なると判定された場合、以下に示すメッセージを表示部４３に出力する。すなわち、この場合、出力部７６は、原子核乾板ＮＰを回収する際と設置する際とで、設置状態が異なる旨のメッセージを表示部４３に出力する。
【０１００】
出力部７６は、検査ＩＤと、その検査ＩＤについて取得部７０により取得された全ての組み合わせのフレームＩＤ、設置場所ＩＤ、配置位置情報、ホルダＩＤ、及び包材ＩＤを対応付けて情報処理装置１２に出力（すなわち、送信）する。
【０１０１】
出力部７６は、原子核乾板ＮＰを設置する設置作業日、及び設置作業の作業担当者の識別情報を含む作業情報も情報処理装置１２に出力する。また、出力部７６は、原子核乾板ＮＰを回収する回収作業日、及び回収作業の作業担当者の識別情報を含む作業情報も情報処理装置１２に出力する。なお、これらの作業日として、端末装置１４の日付情報が自動的に取得される。また、これらの作業担当者の識別情報として、システムにログインしたユーザに対応付けられたユーザの識別情報がユーザ管理テーブルから自動的に取得される。
【０１０２】
なお、出力部７６は、包材ＩＤ等の送信先である情報処理装置１２と通信不可能な場合は、検査ＩＤと、その検査ＩＤについての全ての組み合わせのフレームＩＤ、設置場所ＩＤ、配置位置情報、ホルダＩＤ、及び包材ＩＤとを記憶部４２に出力（すなわち、記憶）してもよい。この場合、出力部７６は、情報処理装置１２と通信可能となった場合に、記憶部４２に記憶された検査ＩＤと、その検査ＩＤについての全ての組み合わせのフレームＩＤ、配置位置情報、ホルダＩＤ、及び包材ＩＤとを情報処理装置１２に出力する。
【０１０３】
また、出力部７６は、設置作業及び回収作業等の原子核乾板ＮＰに関する作業を行う際に原子核乾板ＮＰを撮影装置により撮影して得られた画像を示す画像データを更に情報処理装置１２に出力してもよい。
【０１０４】
次に、図２５及び図２６を参照して、本実施形態に係る原子核乾板ＮＰを設置する際の乾板管理システム１０の作用を説明する。ＣＰＵ４０が端末処理プログラム５０を実行することによって、図２５に示す端末装置１４側の設置処理が実行される。また、ＣＰＵ２０が乾板管理プログラム３０を実行することによって、図２６に示す情報処理装置１２側の設置処理が実行される。
【０１０５】
図２５のステップＳ１０で、取得部７０は、設置担当者により指定された検査ＩＤに対応する設置設計情報を情報処理装置１２から取得する。設置担当者は、前述したように、設置設計情報に従って、設置場所ＩＤそれぞれについて、フレームＦを設置した後にフレームＦのＱＲコードを読取部４８に読み取らせる。
【０１０６】
ステップＳ１２で、取得部７０は、設置場所ＩＤとステップＳ１０の処理により読み取られたフレームＩＤとの全ての組み合わせを取得する。
【０１０７】
次に、設置担当者は、前述したように、設置済みのフレームＦ内の各配置位置について、ホルダＨ及び一組の乾板群を設置する際に、フレームＦ内の一組の乾板群の配置位置付近のＱＲコードと、一組の乾板群それぞれのアルミニウム箔ＡＰのＱＲコードと、一組の乾板群を固定するホルダＨのＱＲコードとを読取部４８に読み取らせる。
【０１０８】
ステップＳ１４で、取得部７０は、各フレームＦについて、読取部４８により読み取られた各配置位置についての配置位置情報、ホルダＩＤ、上乾板を包装する包材の包材ＩＤ、及び下乾板を包装する包材の包材ＩＤを取得する。
【０１０９】
ステップＳ１６で、検証部７２は、前述したように、全ての乾板群について、ステップＳ１４で取得された包材ＩＤに含まれる重なり順情報を用いて、各乾板群における原子核乾板ＮＰの重なり順の妥当性を検証する。検証部７２により重なり順が正しいと判定された場合は、処理はステップＳ２０に移行し、正しくないと判定された場合は、処理はステップＳ１８に移行する。
【０１１０】
ステップＳ１８で、出力部７６は、原子核乾板ＮＰの重なり順が正しくない旨を報知するメッセージを表示部４３に出力する。ステップＳ１８の処理が終了すると処理はステップＳ１４に戻る。設置担当者は、必要に応じて原子核乾板ＮＰの設置状態を変更し、再度読取部４８による読み取りを行わせ、重なり順が正しくなるまでステップＳ１４が実行される。
【０１１１】
ステップＳ２０で、出力部７６は、検査ＩＤ、ステップＳ１２及びステップＳ１４の処理により取得された全ての組み合わせのフレームＩＤ、設置場所ＩＤ、配置位置情報、ホルダＩＤ、及び包材ＩＤを対応付けて情報処理装置１２に出力する。また、出力部７６は、前述したように、設置作業日及び設置作業の作業担当者の識別情報を含む作業情報も情報処理装置１２に出力する。ステップＳ２０の処理が終了すると、図２５に示す設置処理が終了する。なお、設置担当者は、１つのフレームＦを設置する毎に、乾板群を設置することを繰り返してもよいし、全てのフレームＦを設置してから、全ての乾板群を設置してもよい。
【０１１２】
ステップＳ２０の処理により端末装置１４から情報処理装置１２に送信された各種データが情報処理装置１２により受信されると、図２６に示す情報処理装置１２側の設置処理が実行される。
【０１１３】
図２６のステップＳ３０で、受付部６０は、ステップＳ２０の処理により端末装置１４から送信された検査ＩＤ、全ての組み合わせのフレームＩＤ、設置場所ＩＤ、配置位置情報、ホルダＩＤ、及び包材ＩＤを受け付ける。また、受付部６０は、ステップＳ２０の処理により端末装置１４から送信された設置作業の作業情報を受け付ける。
【０１１４】
ステップＳ３２で、記憶制御部６２は、ステップＳ３０の処理により受け付けられた検査ＩＤに対応する検査管理テーブル３８に、フレームＩＤ、設置場所ＩＤ、配置位置情報、ホルダＩＤ、包材ＩＤ、及び作業情報を対応付けて記憶する制御を行う。また、この際、記憶制御部６２は、ステップＳ３０の処理により受け付けられた包材ＩＤに対応する乾板ＩＤを乾板管理テーブル３６から取得し、取得した乾板ＩＤを包材ＩＤに対応付けて検査管理テーブル３８に記憶する制御を行う。
【０１１５】
ステップＳ３４で、記憶制御部６２は、ステップＳ３０の処理により受け付けられた包材ＩＤに対応する乾板管理テーブル３６のステータス列を「設置済み」に更新する。ステップＳ３４の処理が終了すると、図２６に示す設置処理が終了する。
【０１１６】
次に、図２７及び図２８を参照して、本実施形態に係る原子核乾板ＮＰを回収する際の乾板管理システム１０の作用を説明する。ＣＰＵ４０が端末処理プログラム５０を実行することによって、図２７に示す端末装置１４側の回収処理が実行される。また、ＣＰＵ２０が乾板管理プログラム３０を実行することによって、図２８に示す情報処理装置１２側の回収処理が実行される。
【０１１７】
図２７のステップＳ４０で、取得部７０は、回収担当者により指定された検査ＩＤに対応する検査管理テーブル３８を情報処理装置１２から取得する。回収担当者は、原子核乾板ＮＰの回収作業の際、設置の際と同様に、各部材のＱＲコードを読取部４８に読み取らせる。
【０１１８】
ステップＳ４２で、取得部７０は、各フレームＦについて、読取部４８により読み取られた各配置位置についての配置位置情報、ホルダＩＤ、上乾板を包装する包材の包材ＩＤ、及び下乾板を包装する包材の包材ＩＤを取得する。
【０１１９】
ステップＳ４４で、取得部７０は、各フレームＦについて読取部４８により読み取られたフレームＩＤを取得する。ステップＳ４６で、判定部７４は、前述したように、ステップＳ４２の処理により取得された配置位置情報、ホルダＩＤ、上乾板を包装する包材の包材ＩＤ、及び下乾板を包装する包材の包材ＩＤが、ステップＳ４０の処理により検査管理テーブル３８に記憶された情報と同じであるか否かを判定する。この判定が肯定判定となった場合は、処理はステップＳ５０に移行し、否定判定となった場合は、処理はステップＳ４８に移行する。
【０１２０】
ステップＳ４８で、出力部７６は、原子核乾板ＮＰを回収する際と設置する際とで、設置状態が異なる旨のメッセージを表示部４３に出力する。一方、ステップＳ５０で、出力部７６は、検査ＩＤ、ステップＳ４２及びステップＳ４４の処理により取得された全ての組み合わせのフレームＩＤ、設置場所ＩＤ、配置位置情報、ホルダＩＤ、及び包材ＩＤを対応付けて情報処理装置１２に出力する。また、出力部７６は、前述したように、回収作業日及び回収作業の作業担当者の識別情報を含む作業情報も情報処理装置１２に出力する。ステップＳ５０の処理が終了すると、図２７に示す回収処理が終了する。なお、回収担当者は、１つのフレームＦに設置された乾板群の回収及びフレームＦの回収をフレームＦ毎に行うことを繰り返してもよいし、全ての乾板群を回収してから全てのフレームＦを回収してもよい。
【０１２１】
ステップＳ５０の処理により端末装置１４から情報処理装置１２に送信された各種データが情報処理装置１２により受信されると、図２８に示す情報処理装置１２側の回収処理が実行される。
【０１２２】
図２８のステップＳ６０で、受付部６０は、ステップＳ５０の処理により端末装置１４から送信された検査ＩＤ、全ての組み合わせのフレームＩＤ、設置場所ＩＤ、配置位置情報、ホルダＩＤ、及び包材ＩＤを受け付ける。また、受付部６０は、ステップＳ５０の処理により端末装置１４から送信された回収作業の作業情報を受け付ける。
【０１２３】
ステップＳ６２で、記憶制御部６２は、ステップＳ６０の処理により受け付けられた検査ＩＤに対応する検査管理テーブル３８に、フレームＩＤ、設置場所ＩＤ、配置位置情報、ホルダＩＤ、包材ＩＤ、及び作業情報を対応付けて記憶（更新）する制御を行う。
【０１２４】
ステップＳ６４で、記憶制御部６２は、ステップＳ６０の処理により受け付けられた包材ＩＤに対応する乾板管理テーブル３６のステータス列を「回収済み」に更新する。ステップＳ６４の処理が終了すると、図２８に示す回収処理が終了する。
【０１２５】
以上説明したように、本実施形態によれば、原子核乾板の設置状態を簡易に管理することができる。
【０１２６】
また、乾板ＩＤに各種情報を対応付けて記憶しているため、一例として図２９に示すように、乾板ＩＤを用いた検索によって、乾板ＩＤの詳細な情報を確認することができる。例えば、ユーザは、原子核乾板ＮＰが現在どの工程での処理が行われていて、どこに存在するか、といったことを把握することができる結果、原子核乾板ＮＰを追跡することができる。
【０１２７】
なお、上記実施形態において、乾板ＩＤに対応する包材ＩＤを更新してもよい。例えば、原子核乾板ＮＰの運搬中又は設置時等に、アルミニウム箔ＡＰの封部分等が破れてしまうこともある。この場合、アルミニウム箔ＡＰが破れた原子核乾板ＮＰは、そのままでは非破壊検査に使用できないが、感光していなければ、新たなアルミニウム箔ＡＰで包装することによって再使用が可能である。
【０１２８】
具体的には、例えば、情報処理装置１２は、ユーザにより指定された特定の原子核乾板ＮＰ（ここでは、アルミニウム箔ＡＰが破れた等の理由で再使用が可能な原子核乾板ＮＰ）の乾板ＩＤ又は包材ＩＤを乾板管理テーブル３６から検索する。ユーザは、原子核乾板ＮＰを新たなアルミニウム箔ＡＰで包装し直す。そして、ユーザは、検索された乾板ＩＤに対応付けて新たなアルミニウム箔ＡＰの包材ＩＤを登録する。例えば、受付部６０は、検索された乾板ＩＤ又は包材ＩＤに対応する新たな包材ＩＤを受け付ける。また、記憶制御部６２は、検索された乾板ＩＤに対応付けて乾板管理テーブル３６及び検査管理テーブル３８に記憶された包材ＩＤを、受け付けられた新たな包材ＩＤによって更新する制御を行う。この形態例では、情報処理装置１２のＣＰＵ２０が、特定の乾板に対応する乾板ＩＤ又は包材ＩＤを検索する検索部として機能する。
【０１２９】
また、この形態例において、ユーザは、再使用可能となった原子核乾板ＮＰについて、再使用可能となったことを表す情報を登録してもよい。この場合、受付部６０は、再使用可能となった原子核乾板ＮＰについて、原子核乾板ＮＰが再使用可能となったことを表す情報を受け付ける。記憶制御部６２は、例えば、乾板管理テーブル３６の再使用可能となった原子核乾板ＮＰの乾板ＩＤに対応付けて、再使用可能となったことを表す情報を記憶する制御を行う。再使用可能となったことを表す情報の乾板管理テーブル３６への記憶は、例えば、乾板管理テーブル３６に再使用可能フラグ列を追加することによって行えばよい。更に、この場合、情報処理装置１２のＣＰＵ２０は、乾板管理テーブル３６の再使用可能フラグ列を参照することによって、再使用可能となった原子核乾板ＮＰの乾板ＩＤ又は包材ＩＤを検索する形態が例示される。
【０１３０】
また、上記実施形態において、使用不可能となった原子核乾板ＮＰを無効化してもよい。例えば、原子核乾板ＮＰの運搬中又は設置時等に、アルミニウム箔ＡＰの平面部分等が破れてしまい、原子核乾板ＮＰが感光することによって、原子核乾板ＮＰが使用不可能となる場合がある。この場合に、ユーザは、使用不可能となった原子核乾板ＮＰが無効となったことを表す情報を、入力部２４を介して入力する。
【０１３１】
具体的には、例えば、受付部６０は、ユーザにより入力された原子核乾板ＮＰが無効となったことを表す情報を受け付ける。そして、記憶制御部６２は、例えば、無効となった原子核乾板ＮＰの乾板ＩＤに対応付けて、乾板管理テーブル３６に無効となったことを表す情報を記憶する制御を行う。無効となったことを表す情報の乾板管理テーブル３６への記憶は、例えば、乾板管理テーブル３６に無効化フラグ列を追加することによって行えばよい。
【０１３２】
また、上記実施形態において、システムのユーザに対して、製造、設計、設置、回収、現像、読み取り、及び解析等の工程毎に、記憶制御部６２による制御により記憶部２２に記憶された情報へのアクセス可否の権限を付与してもよい。記憶部２２に記憶された情報は、例えば、フレーム管理テーブル３２、ホルダ管理テーブル３４、乾板管理テーブル３６、及び検査管理テーブル３８に格納されたデータである。これにより、例えば、製造担当者は、製造に関する情報は更新できるが、製造以外の工程に関する情報は参照できない又は参照はできるが更新できない、といったアクセス権限の設定を細かく行うことができる。この形態例では、情報処理装置１２のＣＰＵ２０が、アクセス可否の権限を付与する付与部として機能する。
【０１３３】
また、上記実施形態において、例えば、受付部６０、記憶制御部６２、取得部７０、検証部７２、判定部７４、及び出力部７６といった各種の処理を実行する処理部（processing unit）のハードウェア的な構造としては、次に示す各種のプロセッサ（processor）を用いることができる。上記各種のプロセッサには、前述したように、ソフトウェア（プログラム）を実行して各種の処理部として機能する汎用的なプロセッサであるＣＰＵに加えて、ＦＰＧＡ等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【０１３４】
１つの処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip：SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【０１３５】
更に、これらの各種のプロセッサのハードウェア的な構造としては、より具体的には、半導体素子などの回路素子を組み合わせた電気回路（circuitry）を用いることができる。
【０１３６】
また、上記実施形態では、乾板管理プログラム３０が記憶部２２に予め記憶（インストール）されている態様を説明したが、これに限定されない。乾板管理プログラム３０は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、乾板管理プログラム３０は、ネットワークを介して外部装置からダウンロードされる形態としてもよい。
【０１３７】
また、上記実施形態では、端末処理プログラム５０が記憶部４２に予め記憶（インストール）されている態様を説明したが、これに限定されない。端末処理プログラム５０は、ＣＤ−ＲＯＭ、ＤＶＤ−ＲＯＭ、及びＵＳＢメモリ等の記録媒体に記録された形態で提供されてもよい。また、端末処理プログラム５０は、ネットワークを介して外部装置からダウンロードされる形態としてもよい。
【符号の説明】
【０１３８】
１０  乾板管理システム
１２  情報処理装置
１４  端末装置
２０、４０  ＣＰＵ
２１、４１  メモリ
２２、４２  記憶部
２３、４３  表示部
２４、４４  入力部
２５、４５  ネットワークＩ／Ｆ
２６、４７  バス
３０  乾板管理プログラム
３２  フレーム管理テーブル
３４  ホルダ管理テーブル
３６  乾板管理テーブル
３８  検査管理テーブル
４６  外部Ｉ／Ｆ
４８  読取部
５０  端末処理プログラム
６０  受付部
６２  記憶制御部
７０  取得部
７２  検証部
７４  判定部
７６  出力部
ＡＰ  アルミニウム箔
ＥＬ  乳剤層
Ｆ、ＦＨ、ＦＶ  フレーム
ＦＢ  フィルムベース
Ｈ  ホルダ
Ｎ  ネットワーク
ＮＰ  原子核乾板
Ｔ、Ｔ１、Ｔ２  飛跡
【図１】
2020153788.tif 000003
【図２】
2020153788.tif 000004
【図３】
2020153788.tif 000005
【図４】
2020153788.tif 000006
【図５】
2020153788.tif 000007
【図６】
2020153788.tif 000008
【図７】
2020153788.tif 000009
【図８】
2020153788.tif 000010
【図９】
2020153788.tif 000011
【図１０】
2020153788.tif 000012
【図１１】
2020153788.tif 000013
【図１２】
2020153788.tif 000014
【図１３】
2020153788.tif 000015
【図１４】
2020153788.tif 000016
【図１５】
2020153788.tif 000017
【図１６】
2020153788.tif 000018
【図１７】
2020153788.tif 000019
【図１８】
2020153788.tif 000020
【図１９】
2020153788.tif 000021
【図２０】
2020153788.tif 000022
【図２１】
2020153788.tif 000023
【図２２】
2020153788.tif 000024
【図２３】
2020153788.tif 000025
【図２４】
2020153788.tif 000026
【図２５】
2020153788.tif 000027
【図２６】
2020153788.tif 000028
【図２７】
2020153788.tif 000029
【図２８】
2020153788.tif 000030
【図２９】
2020153788.tif 000031